(57)【要約】【課題】  本発明は、指紋等の生体データを用いて本人認証を行いつつ、個人が任意に定義した複数の情報又は／及び処理について、生体データの順列に従って複数の処理を実行すると共に、特殊処理のシーケンス分岐によって外部に対して情報を伝達する本人認証による処理システムを提供する。【解決手段】  複数の指紋又は音声の単語等の生体データと、その順列で定まる情報又は／及び処理を複数登録し、入力された生体データの順列から複数の処理を実行し、処理が特殊であれば、特殊処理のシーケンス分岐で対応する情報を外部に伝達する本人認証による処理システムである。【選択図】        図３
2004272892.tif 000002
【特許請求の範囲】
【請求項１】
生体データを入力する入力部と、
複数の生体データを記憶し、当該複数の生体データの順列と対応する処理の内容を記憶する記憶部と、
入力された生体データで前記記憶部に記憶された生体データとを比較して本人認証を行い、複数の生体データの入力が連続してあると、入力された複数の生体データの順列が前記記憶する複数の生体データの順列と一致する場合に、対応する処理の内容を実行する制御部と
を有することを特徴とする本人認証による処理システム。
【請求項２】
記憶部は、入力された複数の生体データの順列においてその順位で定まるデータに対応付けて特定の情報又は／及び処理の内容を記憶し、
制御部は、入力された複数の生体データの順列においてその順位で定まるデータが特定データであるときに、入力者が任意に定義した情報を出力し、又は／及び入力者が任意に定義した処理の内容を実行することを特徴とする請求項１記載の本人認証による処理システム。
【請求項３】
記憶部は、入力された複数の生体データの順列に対して、複数の情報又は／及び処理の内容を記憶し、
制御部は、入力された複数の生体データの順列において入力者が任意に定義した情報を出力し、又は／及び入力者が任意に定義した処理の内容を複数実行することを特徴とする請求項１記載の本人認証による処理システム。
【請求項４】
記憶部は、複数の生体データの記憶について、ユーザ識別子、生体識別子、生体データを関連付けて記憶する照合用データベースと、
複数の生体データの順列と対応する処理の内容の記憶について、ユーザ識別子、処理識別子、複数の生体識別子の順列を関連付けて記憶する処理シーケンスデータベースと、
複数の生体データの順列でその特定順位の特定データと入力者が任意に定義した情報又は／及び入力者が任意に定義した処理の内容の記憶について、ユーザ識別子、シーケンス番号、生体識別子、情報／処理を関連付けて記憶する情報／処理データベースとを有し、
制御部は、入力された複数の生体データの順列において前記情報／処理データベースにおけるシーケンス番号によって特定される順位のデータが前記情報／処理データベースにおける生体識別子で示す特定データであるときに、入力者が任意に定義した情報を出力し、又は／及び入力者が任意に定義した処理の内容を実行することを特徴とする請求項２又は３記載の本人認証による処理システム。
【請求項５】
制御部は、入力された複数の生体データの順列に対して照合用データベースを参照して本人認証を行い、生体データの順列から処理シーケンスデータベースを参照して対応する一つ又は複数の処理の内容を特定して実行し、情報／処理データベースを参照して入力された複数の生体データの順列においてその順位で定まるデータが特定データであるときに、入力者が任意に定義した情報を出力し、又は／及び入力者が任意に定義した処理の内容を実行することを特徴とする請求項４記載の本人認証による処理システム。
【請求項６】
特定の処理には、ドアを開閉する制御処理、警報を発生させる警報処理、又は／及び録画を制御する録画処理が含まれることを特徴とする請求項１乃至５のいずれか記載の本人認証による処理システム。
【発明の詳細な説明】
【技術分野】
【０００１】
本発明は、本人認証を行って対応する処理を実行すると共に、情報伝達又は特定処理を行うシステムに係り、特に、なりすましを防止し、本人のみが知り得る情報を伝達し、本人の意図する処理を実行できる本人認証による処理システムに関する。
【背景技術】
【０００２】
従来の指紋、音声等の生体データを用いた本人認証は、重要資料の保管室のドア、金庫の扉等の開閉に利用されている。
【０００３】
尚、入室の許可、コンピュータにおける情報アクセスでの本人認証を指紋で行う従来技術には、平成１４年５月１７日公開の特開２００２−１４０７０８「指紋による個人認証システムおよび方法」（出願人：エヌイーシーソフト株式会社、発明者：小松憲一）がある。
【０００４】
【特許文献１】特開２００２−１４０７０８号公報  （第５頁−第８頁参照）
【発明の開示】
【発明が解決しようとする課題】
【０００５】
しかしながら、上記従来の本人認証の技術は、本人を認証するにとどまり、指紋等の生体データの入力で本人しか知らない情報を伝達するものとはなっていなかった。
【０００６】
具体的には、指紋照合によって開閉するドアの場合、指紋読み取り装置で読み取られた指紋が正規に登録されたものであるか否かが判断され、登録された指紋であれば、ドアが開くようになっている。
【０００７】
しかし、ドアの開閉ができる本人が強盗に凶器で脅されてドアの開閉を迫られた場合には、ただ、ドアを開閉するしか術はなく、その開閉動作の際に、外部に対して何らかの情報を発信することができないものとなっていた。
【０００８】
本発明は上記実情に鑑みて為されたもので、指紋等の生体データを用いて本人認証を行いつつ、個人が任意に定義した複数の情報又は／及び処理について、生体データの順列に従って複数の処理を実行すると共に、特殊処理のシーケンス分岐によって外部に対して情報を伝達する本人認証による処理システムを提供することを目的とする。
【課題を解決するための手段】
【０００９】
本発明は、本人認証による処理システムにおいて、生体データを入力する入力部と、複数の生体データを記憶し、当該複数の生体データの順列と対応する処理の内容を記憶する記憶部と、入力された生体データで記憶部に記憶された生体データとを比較して本人認証を行い、複数の生体データの入力が連続してあると、入力された複数の生体データの順列が記憶部に記憶する複数の生体データの順列と一致する場合に、対応する処理の内容を実行する制御部とを有するものであり、本人認証を行うと共に、複数の生体データの順列によって対応する処理の内容を容易に実行できる。
【００１０】
本発明は、上記本人認証による処理システムにおいて、記憶部が、入力された複数の生体データの順列においてその順位で定まるデータに対応付けて入力者が任意に定義した情報又は／及び入力者が任意に定義した処理の内容を記憶し、制御部が、入力された複数の生体データの順列においてその順位で定まるデータが特定データであるときに、入力者が任意に定義した情報を出力し、又は／及び入力者が任意に定義した処理の内容を実行するものであり、本人認証を行うと共に、複数の生体データの順列によって対応する処理を実行しつつ、入力者が任意に定義した情報の出力又は／及び入力者が任意に定義した処理の内容を容易に実行できる。
【００１１】
本発明は、上記本人認証による処理システムにおいて、記憶部が、入力された複数の生体データの順列に対して、複数の情報又は／及び処理の内容を記憶し、制御部が、入力された複数の生体データの順列において入力者が任意に定義した情報を出力し、又は／及び入力者が任意に定義した処理の内容を複数実行するものであり、本人認証を行うと共に、複数の生体データの順列によって対応する複数の処理を実行しつつ、入力者が任意に定義した情報の出力又は／及び入力者が任意に定義した処理の内容を容易に実行できる。
【００１２】
本発明は、上記本人認証による処理システムにおいて、記憶部が、複数の生体データの記憶について、ユーザ識別子、生体識別子、生体データを関連付けて記憶する照合用データベースと、複数の生体データの順列と対応する処理の内容の記憶について、ユーザ識別子、処理識別子、複数の生体識別子の順列を関連付けて記憶する処理シーケンスデータベースと、複数の生体データの順列でその順位で定まるデータと入力者が任意に定義した情報又は／及び入力者が任意に定義した処理の内容の記憶について、ユーザ識別子、シーケンス番号、生体識別子、情報／処理を関連付けて記憶する情報／処理データベースとを有し、制御部が、入力された複数の生体データの順列において情報／処理データベースにおけるシーケンス番号によって特定される順位のデータが情報／処理データベースにおける生体識別子で示す特定データであるときに、入力者が任意に定義した情報を出力し、又は／及び入力者が任意に定義した処理の内容を実行するものであり、本人認証を行うと共に、複数の生体データの順列によって対応する処理の内容を実行しつつ、入力者が任意に定義した情報の出力又は／及び入力者が任意に定義した処理の内容の実行を容易に実行できる。
【００１３】
本発明は、上記本人認証による処理システムにおいて、制御部が、入力された複数の生体データの順列に対して照合用データベースを参照して本人認証を行い、生体データの順列から処理シーケンスデータベースを参照して対応する一つ又は複数の処理の内容を特定して実行し、情報／処理データベースを参照して入力された複数の生体データの順列においてその順位で定まるデータが特定データであるときに、入力者が任意に定義した情報を出力し、又は／及び入力者が任意に定義した処理を実行するものであり、本人認証を行うと共に、複数の生体データの順列によって対応する一つ又は複数の処理の内容を実行しつつ、入力者が任意に定義した情報の出力又は／及び入力者が任意に定義した処理の内容を容易に実行できる。
【発明の効果】
【００１４】
本発明によれば、生体データを入力する入力部と、複数の生体データを記憶し、当該複数の生体データの順列と対応する処理の内容を記憶する記憶部と、入力された生体データで記憶部に記憶された生体データとを比較して本人認証を行い、複数の生体データの入力が連続してあると、入力された複数の生体データの順列が記憶する複数の生体データの順列と一致する場合に、対応する処理の内容を実行する制御部とを有する本人認証による処理システムとしているので、本人認証を行うと共に、複数の生体データの順列によって対応する処理の内容を容易に実行できる効果がある。
【００１５】
本発明によれば、記憶部が、入力された複数の生体データの順列においてその順位で定まるデータに対応付けて入力者が任意に定義した情報又は／及び入力者が任意に定義した処理の内容を記憶し、制御部が、入力された複数の生体データの順列においてその順位で定まるデータが特定データであるときに、入力者が任意に定義した情報を出力し、又は／及び入力者が任意に定義した処理の内容を実行する上記本人認証による処理システムとしているので、本人認証を行うと共に、複数の生体データの順列によって対応する処理の内容を実行しつつ、入力者が任意に定義した情報の出力又は／及び入力者が任意に定義した処理の内容を容易に実行できる効果がある。
【００１６】
本発明によれば、記憶部が、入力された複数の生体データの順列に対して、複数の情報又は／及び処理の内容を記憶し、制御部が、入力された複数の生体データの順列において対応する入力者が任意に定義した情報を出力し、又は／及び入力者が任意に定義した処理の内容を複数実行する上記本人認証による処理システムとしているので、本人認証を行うと共に、複数の生体データの順列によって対応する複数の処理の内容を実行しつつ、入力者が任意に定義した情報の出力又は／及び入力者が任意に定義した処理の内容を容易に実行できる効果がある。
【００１７】
本発明によれば、記憶部が、複数の生体データの記憶について、ユーザ識別子、生体識別子、生体データを関連付けて記憶する照合用データベースと、複数の生体データの順列と対応する処理の内容の記憶について、ユーザ識別子、処理識別子、複数の生体識別子の順列を関連付けて記憶する処理シーケンスデータベースと、複数の生体データの順列でその順位で定まるデータと入力者が任意に定義した情報又は／及び入力者が任意に定義した処理の内容の記憶について、ユーザ識別子、シーケンス番号、生体識別子、情報／処理を関連付けて記憶する情報／処理データベースとを有し、制御部が、入力された複数の生体データの順列において情報／処理データベースにおけるシーケンス番号によって特定される順位のデータが情報／処理データベースにおける生体識別子で示す特定データであるときに、入力者が任意に定義した情報を出力し、又は／及び入力者が任意に定義した処理の内容を実行する上記本人認証による処理システムとしているので、本人認証を行うと共に、複数の生体データの順列によって対応する処理の内容を実行しつつ、入力者が任意に定義した情報の出力又は／及び入力者が任意に定義した処理の内容の実行を容易に実行できる効果がある。
【００１８】
本発明によれば、制御部が、入力された複数の生体データの順列に対して照合用データベースを参照して本人認証を行い、生体データの順列から処理シーケンスデータベースを参照して対応する一つ又は複数の処理の内容を特定して実行し、情報／処理データベースを参照して入力された複数の生体データの順列においてその順位で定まるデータが特定データであるときに、入力者が任意に定義した情報を出力し、又は／及び入力者が任意に定義した処理の内容を実行する上記本人認証による処理システムとしているので、本人認証を行うと共に、複数の生体データの順列によって対応する一つ又は複数の処理の内容を実行しつつ、入力者が任意に定義した情報の出力又は／及び入力者が任意に定義した処理の内容を容易に実行できる効果がある。
【発明を実施するための最良の形態】
【００１９】
本発明の実施の形態について図面を参照しながら説明する。
本発明の実施の形態に係る本人認証による処理システムは、複数の指紋又は音声の単語等の生体データと、その生体データを組み合わせて順列を形成し、当該順列で定まる情報又は／及び処理の内容を複数登録し、入力された生体データの順列から複数の処理を実行し、処理が特殊であれば、特殊処理のシーケンス分岐で対応する情報を外部に伝達するものであり、例えばドアの開閉という処理を行わせつつ、特殊処理のシーケンス分岐によって特定の情報（例えば、強盗の人数が３人であること）を外部に伝送するものである。
【００２０】
本発明の実施の形態に係る本人認証による処理システム（本システム）の構成について図１を参照しながら説明する。図１は、本発明の実施の形態に係る本人認証による処理システムの構成ブロック図である。
本発明の実施の形態に係る本人認証による処理システム（本システム）は、図１に示すように、制御部１と、指紋リーダ２と、データベース（ＤＢ）３と、送信部４と、ドア制御部５と、警報器６と、ビデオ制御部７と、カメラ８と、主メモリ９と、記憶部１０とを基本的に有している。
ここで、ＤＢ３は、照合用ＤＢ３ａ、処理シーケンスＤＢ３ｂ、情報ＤＢ３ｃを備えている。尚、請求項における記憶部とは、ＤＢ３の内容が対応している。
【００２１】
本システムにおける各部を具体的に説明する。
制御部１は、全体の制御を行うもので、指紋リーダ２で読み取られた指紋を入力し、ＤＢ３から対応する処理及び情報を読み取って、その処理（ドアの開閉、警報、ビデオ録画等）を実行させると共にその情報を送信部４により外部に送信する。尚、制御部１における詳細な制御については後述する。
指紋リーダ２は、指紋を読み取り、読み取った指紋データを制御部１に出力する。
尚、ここでは、生体データとして指紋データを用いているが、指紋以外には、音声の単語又は単語の組み合わせを音声データとして登録して用いることが考えられる。
【００２２】
データベース（ＤＢ）３は、指紋照合に用いるための照合用データベース（ＤＢ）３ａと、特定の処理（入力者が任意に定義した処理）を定義して実行に移行するための処理シーケンスデータベース（ＤＢ）３ｂと、特定の情報（入力者が任意に定義した情報）を定義し、その情報を伝送させるための情報データベース（ＤＢ）３ｃとを備えている。
ここで、特定の処理の定義及び特定の情報の定義は、指紋を登録した本人が行うものであり、本人しか知り得ない処理及び情報ということになる。
【００２３】
また、ＤＢ３には、特定の処理を実行させるためのプログラムと、特定の情報を伝送するためのプログラムも記憶している。
【００２４】
送信部４は、制御部１からの指示により特定の情報を送信するための手段である。
ドア制御部５は、ドアの開閉を制御する手段であり、制御部１からの指示を受け取ってドアの開閉を行う。
警報器６は、制御部１からの指示により警報を発生させる手段である。
ビデオ制御部７は、制御部１からの指示によりビデオの録画の制御を行う手段である。
カメラ８は、ビデオ制御部７からの制御により映像を入力する手段である。
主メモリ９は、制御部１が記憶部１０に格納されている処理プログラムをロードして展開し、処理プログラムを一時的に動作させるメモリである。
記憶部１０は、本発明の処理プログラム（例えば、図４のフローを実行させるプログラム等）及び一時的なデータを格納する記憶部である。
【００２５】
ＤＢ３における照合用ＤＢ３ａ、処理シーケンスＤＢ３ｂ、情報ＤＢ３ｃについて図２を参照しながら具体的に説明する。図２は、本発明の実施の形態に係る本人認証による情報伝達システムのＤＢ３の概要を示した概略図である。
照合用ＤＢ３ａは、要素として、ユーザ識別子と、指識別子と、生体データを登録・記憶している。
【００２６】
ユーザ識別子（ユーザＩＤ）とは、特定のユーザを識別するための識別子である。
指識別子とは、指を識別するためのものであり、例えば、右手親指を「１１」、右手人差し指を「１２」、右手中指を「１３」、右手薬指を「１４」、右手小指を「１５」、左手親指を「２１」、左手人差し指を「２２」、左手中指を「２３」、左手薬指を「２４」、左手小指を「２５」といったように指識別子が定義されている。
【００２７】
そして、各指識別子にはその指紋データの「生体データ」が対応付けられて記憶されている。
つまり、ユーザ識別子に対して、登録された指識別子とそれに対応する指紋データ（生体データ）が組で記憶されている。ここで、ユーザが複数いる場合は、ユーザ識別子毎に同様の指識別子と生体データが記憶されるものである。
【００２８】
次に、処理シーケンスＤＢ３ｂの概要について、図３を参照しながら説明する。図３は、処理シーケンスＤＢ３ｂの概略図である。
処理シーケンスＤＢ３ｂは、図３に示すように、要素として、ユーザ識別子、処理識別子、複数の指識別子を記憶している。
処理識別子とは、処理内容を特定するための識別子であり、当該識別子が決定されると処理が実行されることになる。実際には、制御部１は処理識別子を読み取り、自己で処理を行うか、又は該当するコントローラに処理の指示を出力する。そのコントローラは、その指示に従って動作を行う。
コントローラの具体例は、ドアの開閉を制御するドア制御部５、または画像の録画を制御するビデオ制御部７がある。
【００２９】
複数の指識別子は、これら識別子が並んでいる順番（順列）で処理識別子を特定し、この特定によって、いくつの指識別子から成る順列に対応するかは異なっている。具体的には指識別子の順列が「１１」（右手親指）、「２２」（左手人差し指）であるとすると、例えば、処理識別子は「Ａ０１」で、処理としては「ドアを開ける」動作を行うものとなっている。また、指識別子の順列が「２１」（左手親指）、「２１」（左手親指）であるとすると、例えば、処理識別子は「Ａ０２」で、処理としては「警報器に警報出力を行わせる」動作を行うものとなっている。また、指識別子の順列が「１１」（右手親指）、「１１」（右手親指）、「１２」（右手人差し指）であるとすると、例えば、処理識別子は「Ａ０３」で、処理としては「防犯カメラで撮影された画像をビデオ録画する」動作を行うものとなっている。
【００３０】
一人のユーザが指紋入力によって複数の処理を行わせる場合には、ユーザ識別子に対して、複数の処理識別子が登録され、その処理識別子を定義する複数の指識別子を組み合わせた順列が記憶されている。また、複数のユーザがいる場合には、ユーザ毎に同様の識別子が記憶される。
【００３１】
情報ＤＢ３ｃは、特定の情報を定義し、当該情報を伝送するために用いられるものであり、要素として、ユーザ識別子、シーケンス番号、指識別子、意味（情報）を記憶している。
ここで、情報ＤＢ３ｃには、ユーザ本人が自ら「意味」を登録するものとなっている。これにより、定義された意味は、本人しか知らない情報となる。
シーケンス番号とは、指識別子の順列において特定の順位を示すものである。「シーケンス番号ｎ」は、「ｎ番目に入力される指紋データ」を示すものである。
ここで、「シーケンス番号」における指識別子が情報ＤＢ３ｃに定められた「指識別子」であるときに、定義された「意味」（情報）を持つようにしている。つまり、指識別子が入力される順位によって特別な情報を表すようになっている。情報が特定されると、当該情報が制御部１から送信部４に出力され、送信部４から外部に送信される。つまり、情報伝達が為されることになる。
【００３２】
具体的には、シーケンス番号が「３」であるとすると、順列における順位「３」番目を示しており、３番目に入力された指紋データが次に示される「指識別子」、例えば、右手薬指「１４」であれば、それに続く、意味（情報）、例えば、「ＳＯＳ」の情報が特定されることになる。つまり、３番目に右手薬指の指紋データが入力された場合には、「ＳＯＳ」の情報が特定されるものである。
【００３３】
ここで、シーケンス番号と指識別子とで特定の意味（情報）を特定するようにしているが、シーケンス番号と指識別子で特定の処理を実行させるようにしてもよい。例えば、ビル等の警備室や警備会社又は警察に発信すると共に、防犯カメラで撮影された映像（動画データ）を警察に送信する処理（別の処理）を行わせることも可能である。この場合、情報ＤＢ３ｃには、処理内容（処理プログラム）を記憶しているので、情報／処理ＤＢと呼ぶことができる。また、情報／処理ＤＢに処理プログラムを記憶せず、別のＤＢにプログラムを格納するようにし、情報／処理ＤＢには、該当するプログラムの格納先をインデックスとして記憶するようにしてもよい。
【００３４】
次に、本システムの動作について図４を参照しながら説明する。図４は、本発明の実施の形態に係る本人認証による処理システムの制御部における処理を示すフローチャートである。
本システムの制御部１は、入力部からユーザ識別子が入力され（Ｓ１）、指紋リーダ２から連続して指紋が入力されると（Ｓ２）、連続入力された指紋データからＤＢ３の照合用ＤＢ３ａを検索して演算し、照合を行う（Ｓ３）。
ここで、照合の精度がそれ程高くなくても、同一人が複数の指で複数回指紋入力を行うため、全体として認証精度が得られれば本人認証が成功したものとすることができる。
【００３５】
照合の結果、入力された指紋データが照合用ＤＢ３ａに登録されたものでなければ（ＮＧの場合）、処理Ｓ１に戻る。また、入力された指紋データが照合用ＤＢ３ａに登録されたものであれば（ＯＫの場合）、該当する指識別子を取り出す（Ｓ４）。
【００３６】
次に、入力された指紋データから指の順列を作成し（Ｓ５）、処理シーケンスＤＢ３ｂを参照して当該指順列の照合を行う（Ｓ６）。
処理シーケンスＤＢ３ｂを参照した結果、「指順列数未達（不足）」の場合は、処理Ｓ２に戻る。また、処理シーケンスＤＢ３ｂを参照した結果、作成した指順列と「一致」するものがあれば、対応する処理識別子を取り出す（Ｓ７）。
【００３７】
次に、取り出した処理識別子の内容の判別を行う（Ｓ８）。
処理識別子が、「ＮＧ」を示すものであれば、想定外の事態としてＮＧ処理を行い（Ｓ９）、「想定外の事態」であることを送信部４で送信させる送信処理を行わせ（Ｓ１０）、処理Ｓ１に戻る。
【００３８】
処理識別子が、「ドア」を示すものであれば、ドア制御部５にドアの開閉処理を行わせる（Ｓ１１）。
処理識別子が、「警報」を示すものであれば、警報器６に警報出力を行わせる（Ｓ１２）。
処理識別子が、「ビデオ」を示すものであれば、ビデオ制御部７にビデオ録画処理を行わせる（Ｓ１３）。ビデオ録画処理にて、カメラ８で撮影された画像がビデオ制御部７の制御によって録画されることになる。
【００３９】
処理Ｓ１１，Ｓ１２，Ｓ１３の後に、入力された指順列について、再度、処理識別子の判定を行い（Ｓ１４）、情報ＤＢ３ｃに規定されている「通報」の識別子が含まれているか否かを判断する。「非通報」であれば、処理Ｓ１に戻り、「通報」であれば、情報ＤＢ３ｃを検索し意味づけを特定して、意味内容（情報）を取り出し（Ｓ１６）、当該意味を送信部４から送信する処理を行わせ（Ｓ１６）、処理Ｓ１に戻る。意味内容としては、「強盗・二人」等である。
【００４０】
上記例では、情報ＤＢ３ｃに予め登録された情報を送信出力するものとなっているが、工夫によっては、もっと高度な情報伝達が可能となる。
例えば、シーケンス番号と指識別子の組み合わせが特定のものであると、その後に入力される指紋で数又は種類を表すことが可能である。
あくまでも、「数又は種類」を表すようにするのは、ユーザ本人であり、本人が自ら定義して登録するもので、本人しか知らない情報となっている。
【００４１】
具体的には、図５〜７を参照しながら説明する。図５は、情報ＤＢ３ｃの概略図であり、図６及び図７は、指紋データ入力における対応する処理内容を示す説明図である。
シーケンス番号「３」で指識別子「１３」（右手中指）の場合に、「強盗の人数は３」の意味を定義し、シーケンス番号「３」で指識別子「１４」（右手薬指）の場合に、「強盗の人数は４」の意味を定義するものとしている。
「強盗の人数は３」又は「強盗の人数は４」は、特殊処理のシーケンス分岐によって定まる情報であり、これら情報は外部に伝達される処理が為される。
【００４２】
つまり、図６（ａ）に示すように、指識別子「１１」（右手親指）、指識別子「２２」（左手人差し指）の順に指紋データが入力されると、処理識別子は「Ａ０１」で、処理内容はドアを開けることになる。また、図６（ｂ）に示すように、指識別子「１１」（右手親指）、指識別子「２２」（左手人差し指）、指識別子「１３」（右手中指）の順に指紋データが入力されると、処理識別子は「Ａ０１」のままで、処理内容はドアを開けると共に、「強盗の人数は３人」を送信して通報することになる。
【００４３】
また、シーケンス番号「５」で指識別子「１１」（右手親指）の場合に、「強盗の凶器は刃物」の意味を定義し、シーケンス番号「５」で指識別子「２１」（左手親指）の場合に、「強盗の凶器はピストル」の意味を定義しておけば、シーケンス番号「３」＋指識別子「１３」、シーケンス番号「５」＋指識別子「１１」が取得されると、「強盗の人数は３人で凶器は刃物」と総合的な情報とすることができ、シーケンス番号「３」＋指識別子「１４」、シーケンス番号「５」＋指識別子「２１」が取得されると、「強盗の人数は４人で凶器はピストル」と総合的な情報とすることができ、外部に対して詳細な情報を伝達できる。
【００４４】
つまり、図７（ａ）に示すように、指識別子「１１」（右手親指）、指識別子「２２」（左手人差し指）の順に指紋データが入力されると、処理識別子は「Ａ０１」で、処理内容はドアを開けることになる。図７（ｂ）に示すように、指識別子「１１」（右手親指）、指識別子「２２」（左手人差し指）、指識別子「１３」（右手中指）、指識別子「ｍｎ」（任意の指）、指識別子「１１」（右手親指）の順に指紋データが入力されると、処理識別子は「Ａ０１」で、処理内容はドアを開けると共に、「強盗人数は３人」、「凶器は刃物」を送信して通報することになる。また、図７（ｃ）に示すように、指識別子「２１」（右手親指）、指識別子「２２」（左手人差し指）、指識別子「１４」（右手薬指）、指識別子「ｍｎ」（任意の指）、指識別子「２１」（左手親指）の順に指紋データが入力されると、処理識別子は「Ａ０１」で、処理内容はドアを開けると共に、「強盗人数は４人」、「凶器はピストル」を送信して通報することになる。
【００４５】
上記実施の形態では、ドアについての応用を説明したが、金庫の扉、資料室のドア、薬品庫の扉に応用できる。
また、独立型の指紋認証装置（ＩＡＵ：Intelligent Authentication Unit）にも応用可能で、指紋認証装置が接続するコンピュータ、携帯電話等を用いて処理に、本人しか知らない情報を伝達させることが可能となる。
ＩＡＵについて、図８，図９を参照しながら説明する。
【００４６】
まず、独立型指紋認証装置（ＩＡＵ）について、図８，図９を用いて簡単に説明する。図８は、独立型指紋認証装置の外観図であり、図９は、指紋認証装置の構成ブロック図である。尚、独立型指紋認証装置（ＩＡＵ）の詳細は、特開２００３−８５１４９「指紋認証装置及び認証システム」（出願人：システムニーズ株式会社、発明者：中山恵介他）に詳しく記載されている。
【００４７】
独立型指紋認証装置（ＩＡＵ）は、図８に示すように、薄い箱形の形状８（ｂ）に示すように、裏面に外部接続インタフェース部の端子２００が設けられており、本装置内で、指紋照合を行うと共に、その認証結果によって内部に複数記憶するデータの中から適正なデータを取得して転送するものとなっている。
【００４８】
独立型指紋認証装置（ＩＡＵ）の内部構成は、図９に示すように、アプリケーションに対応したデータを格納する複数のデータファイル（ＤＦ）１２３、指紋データを格納する指紋テンプレートファイル１２４、前記各ファイルにアクセスする鍵を復号化する暗号鍵を記憶するマスタファイル（ＭＦ）１２２、暗号化された鍵を入力し、前記マスタファイルの暗号鍵で復号化して前記各ファイルにアクセスして当該ファイルの内容を出力する処理手段を実行するＩＣカードＣＰＵ１２１と、アプリケーションからの要求に対して該当するファイルへのアクセスするための暗号化された鍵を格納するファイルアクセス制御条件テーブル（ＦＡＣＣＴ）１１３と、指紋の検出を行う指紋センサ部１１４と、アプリケーションからの要求に対応するファイルへのアクセスに関する暗号化された鍵をＦＡＣＣＴ１１３から読み出し、ＩＣカードＣＰＵ１２１で実行される処理手段に出力すると共に、処理手段から指紋データを取得すると、指紋センサ部１１４で検出された指紋データと照合比較し、照合結果をアプリケーションに転送する制御部１１１とを有している。
【００４９】
そして、独立型指紋認証装置（ＩＡＵ）を用いる場合の動作として、処理装置１４０のアプリケーションが、ＩＣカード部１２０から機密性の高いデータの取得を要求した場合に、本装置で指紋照合が為され、アプリケーションの要求する照合レベルでの照合結果が真であると、アプリケーションの要求するデータファイルへのアクセスが開始される。
【００５０】
例えば、ＩＣカード部１２０におけるＤＦ０領域のfile01のデータを取り出すアプリケーションの場合に、指紋照合結果が真であると、共通制御部１１１は、ＦＡＣＣＴ１１３を参照してＤＦ０にアクセスするための暗号化されているKey0 を取り出してＩＣカード部１２０のＩＣカードＣＰＵ１２１に出力し、ＩＣカードＣＰＵ１２１は、暗号化されたKey0 をＭＦ１の暗号鍵KeyMを使って復号し、復号化されたKey0を用いてＤＦ０領域へのアクセスを許可する。従って、不正利用者がＦＡＣＣＴ１３のKey0 を読み取ったとしても、ＭＦ１のKeyMを知らなければＤＦ０へアクセスすることはできない。
【００５１】
次に、共通制御部１１は、ＦＡＣＣＴ１３を参照してfile01にアクセスするための暗号化されているKey01をＩＣカードＣＰＵ２１に出力し、ＩＣカードＣＰＵ２１は、ＭＦ１のKeyMを用いて暗号化されたKey01を復号し、復号したKey01 を用いてfile01へのアクセスを許可する。
【００５２】
そして、ＩＣカードＣＰＵ１２１は、file01のデータを読み出し、共通制御部１１１に出力し、更に共通制御部１１１がホスト１４０に対して当該データを転送する。このfile01のデータが暗号化されている場合には、復号化してホスト１４０に転送するか、または機密性が高いデータであれば、暗号化したままホスト１４０に転送するのが効果的である。
【００５３】
尚、ＤＢ３の内容は、ＩＡＵの内部に全て記憶させてもよいし、携帯電話機、パソコン、サーバに処理シーケンスＤＢ３ｂ、情報ＤＢ３ｃの内容を記憶させるようにしてもよい。
また、図４のフローにおいて、ＩＡＵ内部で、少なくとも処理Ｓ１〜処理Ｓ５までは処理が為されるようになっている。
【００５４】
また、在宅介護において話すことが不自由な人でも、特定の情報を伝達するのに用いることが可能である。
更に、生体データとして指紋について説明したが、指紋データの代わりに音声データであってもよい。音声データとしては、「リンゴ」「ミカン」「バナナ」のような単語で識別する場合と、それら単語に加えて話者の声紋を識別するようにしてもよい。
【００５５】
また、生体データとして、上記以外に、虹彩データ又は網膜パターンのデータを用いて本人認証を行い、瞳の動き（目配せ）の方向（例えば、瞳が上に動いて、次に右に動き、そして中央に戻る等）によって特定の処理を実行させ、その瞳が動く途中の動作で本人しか知らない情報を伝達し、又は本人しか知らない別の処理を実行するようにしてもよい。
【００５６】
本システムによれば、本人認証を行って、生体データの順列によって特定の処理を実行させつつ、その順列の特定順位の指識別子によって情報を伝達し、又は別の処理を実行するものであり、その本人しか知らない情報の伝達が可能であり、又は特定の処理と別の処理とを並行して実現できる効果がある。
【産業上の利用可能性】
【００５７】
本発明は、生体データを用いて本人認証を行いつつ、個人が任意に定義した複数の情報／処理について生体データの入力順に従って複数の処理を実行すると共に、外部に対しても情報を伝達できる本人認証による処理システムに好適である。
【図面の簡単な説明】
【００５８】
【図１】本発明の実施の形態に係る本人認証による処理システムの構成ブロック図である。
【図２】本発明の実施の形態に係る本人認証による処理システムのＤＢの概要を示した概略図である。
【図３】処理シーケンスＤＢ３ｂの概略図である。
【図４】本発明の実施の形態に係る本人認証による処理システムの制御部における処理を示すフローチャートである。
【図５】情報ＤＢ３ｃの概略図である。
【図６】指紋データ入力における対応する処理内容を示す説明図である。
【図７】指紋データ入力における対応する処理内容を示す説明図である。
【図８】独立型指紋認証装置の外観図である。
【図９】指紋認証装置の構成ブロック図である。
【符号の説明】
【００５９】
１…制御部、  ２…指紋リーダ、  ３…データベース（ＤＢ）、  ３ａ…照合用ＤＢ、  ３ｂ…処理シーケンスＤＢ、  ３ｃ…情報ＤＢ、  ４…送信部、  ５…ドア制御部、  ６…警報器、  ７…ビデオ制御部、  ８…カメラ、  ９…主メモリ、  １０…記憶部
【図１】
2004272892.tif 000003
【図２】
2004272892.tif 000004
【図３】
2004272892.tif 000005
【図４】
2004272892.tif 000006
【図５】
2004272892.tif 000007
【図６】
2004272892.tif 000008
【図７】
2004272892.tif 000009
【図８】
2004272892.tif 000010
【図９】
2004272892.tif 000011